(57)【要約】【課題】足指矯正具の提供。【解決手段】伸縮性を有する胴部に足を挿入し、簡便に着用できるとともに、容易に脱げないようにし、胴部の前方には、足指の先端部が外部に露出されるように、各足指別に穿孔形成された足指挿入口と、足指挿入口の間に設けられた、弾性及び厚さを有する矯正具を具備し、着用したまま自由に活動しながら、足指を矯正することができ、歩行時に足指を伸張させ、血液循環を改善させる足指矯正具を提供する。【選択図】図１
2016504956.tif 000002
【特許請求の範囲】
【請求項１】
足をはめて着用するように形成され、伸縮性を有する胴部（１０）と、
前記胴部（１０）の前方に、足指をそれぞれ挿入して足指の先端部が露出されるように穿孔形成された足指挿入口（２０）と、
前記足指挿入口（２０）の間に設けられ、弾性と厚さを有する矯正具（３０）と、
を備え、
弾力を持つ樹脂を用いて、前記胴部（１０）に前記足指挿入口（２０）及び前記矯正具（３０）が一体として設けられるように射出成形されることを特徴とする、足指矯正具。
【請求項２】
前記胴部（１０）は、足指を含む足の前部が挿入されるように帯状に形成され、伸縮性を有することを特徴とする、請求項１に記載の足指矯正具。
【請求項３】
前記胴部（１０）の端部には弾性バンド（１２）が設けられていることを特徴とする、請求項２に記載の足指矯正具。
【請求項４】
前記足指矯正具の胴部（１０）の足底側には、すべり防止具（１４）が設けられていることを特徴とする、請求項１に記載の足指矯正具。
【発明の詳細な説明】
【技術分野】
【０００１】
本発明は、足指矯正具に関し、特に、簡便に足に着用することにより、一日中靴に押し付けられていた足を伸張させ、母趾外反症のような足指の奇形を矯正することができる足指矯正具に関する。
【背景技術】
【０００２】
外部で長時間活動する現代人は、一日中靴を着用するが、靴には足指が動ける空間が十分でないため、足指が接触し合うことなり、足に水虫などができやすい。特に、女性は、ハイヒールなどの幅の狭い靴を頻繁に履くことから、足指が曲がる奇形が発生し、ひどい場合には外反母趾が発生することもある。しかも、最近では、子供用の靴にも成人用に似た構造のものが多く、子供にも足の奇形が発生しうる。
【０００３】
ここで、外反母趾とは、足の親指が第二の足指に向かって曲がり、関節が外側に突出している症状をいう。突出した関節は、直立時や歩行時に、刺激を受けて赤く変色し、たこができ、炎症と痛みが発生する。このため、歩行時に足を支持して推進力を与えるべき足の親指が自分の役割を十分に果たせないと、足の他の部位にも痛みが感じられ、ひどい場合には、足の変形、腰の痛みなどにつながることもある。
【０００４】
現在、このような足指の奇形を補正するためには、主に韓国公開実用新案第２０−０３９０−０１１００００号公報のように、足指の間に挟むシリコンのような弾性材質の矯正具が使用されている。しかしながら、このような矯正具は、足から外れないように固定する手段がないため、矯正具を着用した後に靴下やストッキングなどを履かなければならないという不便があった。また、着用中にも矯正具がきちんと定着せずに外れるため、着用感が悪く、矯正効果も得られないという問題があった。
【０００５】
一方、本願の出願人は、上記の足指矯正に加えてすべり防止の効果などを得るためのすべり防止用足着用具を、韓国公開実用新案第２０−０４５９−９３２００００号公報で出願登録し、足指矯正に特化して本願を発明するに至った。
【先行技術文献】
【特許文献】
【０００６】
【特許文献１】韓国公開実用新案第２０−０３９０−０１１００００号公報
【特許文献２】韓国公開実用新案第２０−０４５９−９３２００００号公報
【発明の概要】
【発明が解決しようとする課題】
【０００７】
本発明は、上記の従来の問題点を解消し、足指矯正及び足指の伸張を可能にすることによって、足の奇形及び足の奇形による腰痛まで予防することを目的とする発明であり、伸縮性を有する胴部に足を入れて容易に着用できるようにすると共に簡単に脱げないようにし、且つ、前方には、足指の先端が外部に露出されるように各足指別に穿孔形成された足指挿入口と、足指挿入口の間に設けられる弾性及び厚さを有する矯正具を具備し、伸縮性の素材により、ユーザの歩行時に足部の収縮及び弛緩作用によって足指の伸張が円滑に行われるようし、足指の関節が活発に運動するように誘導する。
【０００８】
また、素足で歩行する時のように、自由に活動しながら足指を矯正できるようにする足指矯正具を提供することに目的がある。
【課題を解決するための手段】
【０００９】
上記の目的を達成するための本発明の特徴は、足指を含む足の前部が挿入されるように形成され、伸縮性を有する胴部と、前記胴部の前方に足指をそれぞれ挿入して足指の先端部が露出されるように穿孔形成された足指挿入口と、前記足指挿入口の間に設けられており、弾性と厚さを有する矯正具と、を備える足指矯正具にある。
【００１０】
上記の足指矯正具は、シリコンを含む弾力を持つ樹脂で一体として射出成形されてもよく、胴部を織物で製造し、矯正具は裁縫によって該当の位置に固定することもできる。
【００１１】
また、前記胴部の端部には弾性バンドが設けられ、着用時に容易に脱げないようにする。
【００１２】
そして、前記胴部の足底側にはすべり防止具が設けられてもよい。このすべり防止具は、歩行時に力が作用する位置である、足の親指が始まる骨の部位と足の小指が始まる骨の部分にのみ広く形成することもでき、全体的に均一なドット状に形成することもできる。また、前記すべり防止具はクッション感を有するように形成することもできる。
【発明の効果】
【００１３】
上記のような構成を有する本発明の足指矯正具を着用すると、弾性及び厚さを有する矯正具が足指の間に位置しながら足指間を広げることにより足指を矯正することができ、足の奇形を予防することができる。
【００１４】
また、伸縮性の素材により、ユーザが歩行する時、弾性及び厚さを有する足指挿入口と矯正具によって足部の収縮及び弛緩、足指の関節の活発な運動を誘導し、伸張によって血液循環が円滑になり、足の疲労度を軽減することができる。
【００１５】
そして、足指矯正具は、胴部が帯状に形成され、前後方に弾性バンドが設けられることにより、他の補助手段なしに足指矯正具のみを着用しても、脱げることなく快適に着用することができるため、室内でも着用することができ、また、休息時に足に着用することもできる。その結果、優れた伸張効果及び足矯正の効果を得ることができる。
【００１６】
また、足底側にすべり防止具が設けられているため、着用時にすべりを防止するとともにクッションの役割も果たし、衝撃を緩和させる。
【００１７】
なお、足指が個別に挿入されるように足指挿入口が形成され、足指の一部が外部に露出されるため、足指を自由に動かすことができ、使用が便利である。
【００１８】
また、高伸縮性の材質で製作されるため、足が地面から離れた状態では足指矯正具が足を圧縮し、足を地面につけると、足の裏の形状とおりに伸張することによって、足に刺激を与えて血液循環を促す。
【図面の簡単な説明】
【００１９】
【図１】本発明の一実施例を示す断面図である。
【図２】本発明の他の実施例を示す断面図である。
【図３】本発明の着用状態を示す底面図である。
【発明を実施するための形態】
【００２０】
以下、本発明の実施例を、添付の図面を参照して説明する。
【００２１】
本発明に係る足指矯正具は、大きく、図１〜図３に示すように、足指を含む足の前部が入るように帯状に形成され、伸縮性を有する胴部１０と、胴部１０の前方に足指がそれぞれ挿入できるように穿孔形成された足指挿入口２０と、足指挿入口２０の間に設けられ、弾性及び厚さを有する矯正具３０とを備えている。
【００２２】
このような足指矯正具は、図１に示すように、シリコンを含む弾力を持つ樹脂を用いて、胴部１０に足指挿入口２０及び矯正具３０が一体として設けられるように射出成形することができる。
【００２３】
そして、足指矯正具は、図２に示すように、胴部１０を、織物を用いて伸縮性を有するように製造し、この過程で足指挿入口２０も胴部１０と一体に製造するか、又は別途の裁縫によって製造することができ、矯正具３０は、足指挿入口２０の間に挟みこみ、両側の足指挿入口２０の端部を縫うことによって固定することができる。
【００２４】
そして、足指挿入口２０と矯正具３０の厚さを異なるものとし、歩行時に足部の収縮及び弛緩をさせることで、足指のストレッチングと血液循環が円滑になされるようにすることができる。
【００２５】
ここで、上記織物の素材としては、水分を吸収しない合成繊維を使用する。この合成繊維の例には、ポリエステル又はポリウレタンなどがあるが、ポリエステルは染色し難いため、ポリウレタンのみを使用するか、ポリウレタン及びポリエステルを混用することが好ましい。その他の合成繊維を使用してもよい。
【００２６】
一方、上記の足指矯正具の胴部１０の端部、すなわち、胴部１０の一側端部には弾性バンド１２を設けて着用時に容易に脱げないようにする。この弾性バンド１２も同様に、胴部１０と一体として射出成形するか、織物で胴部１０を形成する過程、すなわち、製織又は編織の過程で胴部１０と一体に製織又は編織することもできる。
【００２７】
なお、上記足指矯正具の胴部１０の足底側には、図３に示すように、すべり防止具１４が設けられている。このすべり防止具１４は、全体に渡り均一なドット状に形成してもよく、足の親指及び小指の部分にのみ広く形成してもよい。このすべり防止具は、クッション性を有するように樹脂を別途に塗布してもよく、足指矯正具の射出成形過程で一体に形成してもよい。
【００２８】
また、胴部１０の内部面には指圧突起（図示せず）がさらに突出形成される。
【００２９】
以上のように構成された本発明によれば、図３に示すように、すべりが防止され、弾性バンド１２によって着用時に容易に脱げず、足指の間を矯正具３０が広げることによって、外反母趾のような足指の奇形を矯正することができる。また、すべり防止具１４と指圧突起が与える刺激、及び胴部１０を形成する材質の伸縮性によって、血液循環が改善される効果を得ることができる。
【符号の説明】
【００３０】
１０  胴部
１２  弾性バンド
１４  すべり防止具
２０  足指挿入口
３０  矯正具
【図１】
2016504956.tif 000003
【図２】
2016504956.tif 000004
【図３】
2016504956.tif 000005
【国際調査報告】
2016504956.tif 000006
2016504956.tif 000007
2016504956.tif 000008
2016504956.tif 000009